(57)【特許請求の範囲】
【請求項１】
芯材パネルを樹脂シートにより被覆した被覆シート付き不燃性内装パネルであって、
上記芯材パネルは、ゾノトライト系ケイ酸カルシウムからなり、室内側に配される意匠面と、該意匠面の反対側の裏面と、上記意匠面と上記裏面とを繋ぐ側面とを有し、
上記樹脂シートは、１枚のものを引き延ばして、少なくとも上記芯材パネルの上記意匠面の全面、上記側面の全面及び上記裏面の一部を覆うように貼付けてあり、上記芯材パネルの上記意匠面の全面、上記側面の全面及び上記裏面の一部を覆う範囲には、切り込みが設けられておらず、繋がった状態で配されることを特徴とする被覆シート付き不燃性内装パネル。
【請求項２】
請求項１に記載の被覆シート付き不燃性内装パネルにおいて、上記被覆シート付き不燃性内装パネルの板厚ｔ（ｍｍ）は、６ｍｍ≦ｔ≦５０ｍｍであることを特徴とする被覆シート付き不燃性内装パネル。
【請求項３】
請求項１又は２に記載の被覆シート付き不燃性内装パネルにおいて、上記芯材パネルの上記意匠面は、凹凸形状を呈した凹凸意匠面であることを特徴とする被覆シート付き不燃性内装パネル。
【請求項４】
請求項３に記載の被覆シート付き不燃性内装パネルにおいて、上記芯材パネルの上記意匠面の平面視における平面領域の面積Ｓに対して、上記凹凸意匠面の表面積が１．００Ｓ超〜１．６Ｓであることを特徴とする被覆シート付き不燃性内装パネル。
【請求項５】
請求項１〜４のいずれか１項に記載の被覆シート付き不燃性内装パネルにおいて、上記樹脂シートの厚みは、貼付け前の状態で０．２±０．０５ｍｍであることを特徴とする被覆シート付き不燃性内装パネル。
【請求項６】
請求項１〜５のいずれか一項に記載の被覆シート付き不燃性内装パネルであって、上記意匠面には、その外周の輪郭に沿って上記裏面と平行な平面よりなる外周平面部を形成してあることを特徴とする被覆シート付き不燃性内装パネル。
【請求項７】
請求項１〜６のいずれか一項に記載の被覆シート付き不燃性内装パネルを内装下地材へ取付ける取付け構造であって、
底板部と、該底板部の少なくとも一端から立設した側壁部と、該側壁部の先端から、上記底板部とは反対の方向に屈曲した鍔部とを有する金属製のジョイナーを用い、
該金属製のジョイナーの上記底板部を、上記内装下地材に当接させると共に固定し、上記鍔部と上記内装下地材との間にそれぞれ上記被覆シート付き不燃性内装パネルの側端部を挟持して固定することを特徴とする不燃性内装パネルの取付け構造。
【請求項８】
請求項７に記載の不燃性内装パネルの取付け構造であって、底板部と、該底板部の両側端から立設した一対の側壁部と、該一対の側壁部の先端から互いに離れる方向に屈曲した一対の鍔部とを有する断面ハット形状の金属製のハット型ジョイナーを用い、
上記一対の鍔部と上記内装下地材との間にそれぞれ上記被覆シート付き不燃性内装パネルの側端部を挟持して固定することを特徴とする不燃性内装パネルの取付け構造。
【発明の詳細な説明】
【技術分野】
【０００１】
本発明は、不燃性を有する芯材パネルに樹脂シートを貼り付けた被覆シート付き不燃性内装パネル及びその取付け構造に関する。
【背景技術】
【０００２】
住宅や店舗等の様々な建築物において、内装の意匠性を向上させることを目的として、壁面をなす内装下地材の表面に凹凸形状や、デザインを施した内装パネルを配設する場合がある。内装パネルは、内装下地材の表面に配設されるため、火災や地震などの災害時において、燃焼や脱落による事故を防止する必要がある。このような事故防止には、上記内装パネルの材料をセメント系材料、セラミック系材料、金属等の不燃材とすることにより、上記内装パネルに不燃性を付加して防火性能を向上させることが考えられる。防火性能を向上させた不燃性内装パネルとしては、例えば特許文献１に記載のものがある。
【０００３】
また、不燃性内装パネルを内装下地材に取付ける方法としては、不燃性内装パネルの裏面に接着剤を塗布し接着固定する方法や、フィニッシュネイル、スクリュー、ボルト、釘等の金具を用いた方法が多く用いられている。より強固に取付けを行う場合には、２つの方法を併用する場合もある。
【先行技術文献】
【特許文献】
【０００４】
【特許文献１】特開平５−２６３４８５号公報
【発明の概要】
【発明が解決しようとする課題】
【０００５】
ところで、地震発生時には建築物が揺動することにより、内装パネルを固定した内装下地材に変形が生じる。このとき、内装パネルは、内装下地材と直接結合し固定されている場合、内装下地材の変形に追従しようとする。内装パネルの材料が不燃性を向上させたセメント系材料又はセラミック系材料である場合、脆性が高いため変形に伴う負荷により亀裂、割れ等が生じ破損するおそれがある。上記内装パネルが破損した場合には、内装パネルが脱落し、人に当たるなどの危害を生じるおそれがある。
また、内装パネルの材料として、上記のセメント材料に代えて脆性が低く破損しにくい金属材料を用いることが考えられるが、この場合には、重量が重くなる場合が多く、硬度も高いことから、脱落時の危険性が高まり好ましくない。
【０００６】
また、不燃性内装パネルを内装下地材に取付ける方法としては、前述したように種々の方法がある。いずれの方法も長短はあるが、内装パネルの取付けに最適な取付け方法がいかなるものであるかを決定することも重要である。
【０００７】
本発明は、かかる問題点に鑑みてなされたものであり、意匠性に優れると共に、災害時においても、破損や脱落が起こりにくい被覆シート付き不燃性内装パネル及び該不燃性内装パネルに最適な取付け方法を提供しようとするものである。
【課題を解決するための手段】
【０００８】
第１の発明は、芯材パネルを樹脂シートにより被覆した被覆シート付き不燃性内装パネルであって、
上記芯材パネルは、ゾノトライト系ケイ酸カルシウムからなり、室内側に配される意匠面と、該意匠面の反対側の裏面と、上記意匠面と上記裏面とを繋ぐ側面とを有し、
上記樹脂シートは、１枚のものを引き延ばして、少なくとも上記芯材パネルの上記意匠面の全面、上記側面の全面及び上記裏面の一部を覆うように貼付けてあり、上記芯材パネルの上記意匠面の全面、上記側面の全面及び上記裏面の一部を覆う範囲には、切り込みが設けられておらず、繋がった状態で配されることを特徴とする被覆シート付き不燃性内装パネルにある（請求項１）。
【０００９】
第２の発明は、第１の発明の被覆シート付き不燃性内装パネルを内装下地材へ取付ける取付け構造であって、
底板部と、該底板部の少なくとも一端から立設した側壁部と、該側壁部の先端から、上記底板部とは反対の方向に屈曲した鍔部とを有する金属製のジョイナーを用い、
該金属製のジョイナーの上記底板部を、上記内装下地材に当接させると共に固定し、上記鍔部と上記内装下地材との間にそれぞれ上記被覆シート付き不燃性内装パネルの側端部を挟持して固定することを特徴とする不燃性内装パネルの取付け構造にある（請求項７）
。
【発明の効果】
【００１０】
第１の発明において、上記樹脂シートは、１枚のものを引き延ばして、上記芯材パネルの上記意匠面の全面、上記側面の全面及び上記裏面の一部を覆うように貼付けてある。そのため、地震発生時に上記芯材パネルが破損したとしても、上記樹脂シートが補強材の役割を果たし、その形状を維持することができる。特に上記樹脂シートが、１枚のものを引き伸ばして、上記意匠面だけではなく、上記側面及び上記裏面の一部までを連続して覆っていることにより、非常に優れた形状維持効果を得ることができる。
また、上記樹脂シートの色や模様等を変化させることにより、上記被覆シート付き不燃性内装パネルのデザインを自由に変化させることができる。それゆえ、上記被覆シート付き不燃性内装パネルの意匠性を向上させることができる。
【００１１】
第２の発明においては、金属製のジョイナーの上記底板部を、上記内装下地材に当接させると共に固定し、上記鍔部と上記内装下地材との間にそれぞれ上記被覆シート付き不燃性内装パネルの側端部を挟持して固定してある。すなわち、上記被覆シート付き不燃性内装パネルと上記内装下地材とは、直接的には結合されていない。そのため、地震などにより上記内装下地材にたわみ等の変形が生じた場合においても、上記被覆シート付き不燃性内装パネルは上記内装下地材と相対的に移動可能に取付けられているため、変形の影響を受けにくい。したがって、上記被覆シート付き不燃性内装パネルにかかる負荷を低減し、破損を防止することができる。
【００１２】
また、上記ジョイナーは金属製のため、樹脂製ジョイナー等に比べ高強度で、かつ耐熱性及び不燃性に優れている。それゆえ、地震や火事等の災害発生時においても、その形状を維持し、上記被覆シート付き不燃性内装パネルを固定することができる。
【００１３】
本発明においては、上記被覆シート付き不燃性内装パネルが有する形状維持効果と、該被覆シート付き不燃性内装パネルの取付け構造における破損防止効果との相乗効果により、極めて優れた形状維持効果を発揮することができる。さらに、上記の優れた取付け構造を用いることにより、災害時においても、形状を維持した上記被覆シート付き不燃性内装パネルを内装下地材に固定し続けることができ、上記被覆シート付き不燃性内装パネルの脱落を確実に防止することができる。
【００１４】
このように、本発明によれば、意匠性に優れると共に、災害時においても、破損や脱落が起こりにくい被覆シート付き不燃性内装パネル及び該不燃性内装パネルに最適な取付け方法を提供することができる。
【図面の簡単な説明】
【００１５】
【図１】実施例１における、被覆シート付き不燃性内装パネルの配設状態を示す説明図。
【図２】図１のＡ−Ａ線矢視断面の部分拡大図。
【図３】実施例１における、被覆シート付き不燃性内装パネルの意匠面を示す斜視図。
【図４】実施例１における、被覆シート付き不燃性内装パネルの裏面を示す斜視図。
【図５】図３のＢ−Ｂ線矢視拡大断面図。
【発明を実施するための形態】
【００１６】
本発明に示す上記樹脂シートの材料は、オレフィン、ポリエチレンテレフタレート等の種々の樹脂材料を用いることができるが、特に塩化ビニル樹脂を用いることが好ましい。該塩化ビニル樹脂は、燃えにくいため、被覆シート付き不燃性内装パネルの不燃性を悪化させることがない。
【００１７】
また、上記樹脂シートが、上記芯材パネルの上記意匠面の全面、上記側面の全面及び上記裏面の一部を覆う範囲には、切り込みが設けられておらず、繋がった状態で配される。この場合には、上記芯材パネルを覆う上記樹脂シートに切れ目がないため、該樹脂シートによる補強効果を向上することができる。したがって上記芯材パネルが破損した場合においても、より確実に形状を維持することができる。また、上記樹脂シートに切れ目がないため、該樹脂シートを貼り付けた被覆シート付き不燃性内装パネルの意匠性をより向上することができる。
【００１８】
また、上記被覆シート付き不燃性内装パネルの板厚ｔ（ｍｍ）は、６ｍｍ≦ｔ≦５０ｍｍであることが好ましい（請求項２）。この場合には、上記被覆シート付き不燃性内装パネルに必要な強度を確実に確保することができる。
上記被覆シート付き不燃性内装パネルの板厚ｔ（ｍｍ）がｔ＜６ｍｍの場合には、その板厚が薄くなるため、上記被覆シート付き不燃性内装パネルの剛性が低下する。また、ｔ＞５０ｍｍの場合には、室内への突出量が大きくなる。そのため、上記被覆シート付き不燃性内装パネルを上記内装下地材からなる壁面の一部に用いた場合には、上記被覆シート付き不燃性内装パネルと上記内装下地材との間の段差が目立ち、意匠性を損なうおそれがある。また、上記被覆シート付き不燃性内装パネルを上記内装下地材からなる壁面の全面に用いた場合には、室内空間が狭くなるという問題が生じるおそれがある。
尚、上記被覆シート付き不燃性内装パネルの意匠面に凹凸形状を形成した場合、板厚ｔ（ｍｍ）は、上記凹凸形状の底部と上記裏面との間の距離を指すものである。
【００１９】
また、上記芯材パネルの上記意匠面は、凹凸形状を呈した凹凸意匠面であることが好ましい（請求項３）。この場合には、上記意匠面におけるデザインの自由度を向上することができる。したがって、上記被覆シート付き不燃性内装パネルの意匠性を向上させることができる。
【００２０】
また、上記芯材パネルの上記意匠面の平面視における平面領域の面積Ｓに対して、上記凹凸意匠面の表面積が１．００Ｓ超〜１．６０Ｓであることが好ましい（請求項４）。この場合には、上記樹脂シートを引き延ばしながら、上記芯材パネルに確実に貼り付けることができる。
上記凹凸意匠面の表面積が１．００Ｓ以下の場合、凹凸形状を形成することができない。
また、上記凹凸意匠面の表面積が１．６０Ｓを超える場合、上記樹脂シートの伸び量の限度を超えるため、貼付けができなくなるおそれがある。
【００２１】
また、上記芯材パネルがゾノトライト系ケイ酸カルシウムからなる。ゾノトライト系ケイ酸カルシウムは、熱収縮及び熱膨張が極めて小さく、高温に加熱された場合及びその後の冷却時においても破損を生じにくい。また、高温に加熱した後、急冷した場合においても崩壊することなく、形状を維持することができる。したがって、火災時においても、火災時における上記芯材パネルの破損を防止し、上記被覆シート付き不燃性内装パネルによる防火性能を確実に維持することができる。
【００２２】
それに対して、不燃性内装パネルに用いられるゾノトライト系ケイ酸カルシウムを除くセメント系材料（例えばトバモライト系ケイ酸カルシウム）及びセラミック系材料は、火災により高温に熱せられた場合、例え燃焼しなくとも、亀裂又は割れが生じやすい。また、ゾノトライト系ケイ酸カルシウムを除くセメント系材料及びセラミック系材料は、火災の初期消火時にスプリンクラー等による放水で、加熱状態から急冷されると容易に崩壊する。そのため、火災発生の初期段階で不燃性内装パネルが脱落し、防火性能が失われやすい。また、熱衝撃により破損しにくい金属材料を用いることも考えられるが、耐熱温度の面でゾノトライト系ケイ酸カルシウムがより優れているため、ゾノトライト系ケイ酸カルシウムを用いることが好ましい。
【００２３】
また、上記樹脂シートの厚みは、貼付け前の状態で０．２±０．０５ｍｍであることが好ましい（請求項５）。この場合には、上記樹脂シートを引き延ばしながら、上記芯材パネルに確実に貼り付けることができ、かつ上記樹脂シートの目付量を低減することで、不燃性能を向上することができる。
上記樹脂シートの厚みが０．１９５ｍｍ以下の場合、該樹脂シートを引き延ばしながら貼付ける際に、破断するおそれがある。
また、上記樹脂シートの厚みが０．２０５ｍｍを超える場合、上記被覆シート付き不燃性内装パネルに貼り付けられた上記樹脂シートが燃焼しやすくなり不燃性能が悪化するおそれがある。また、凹凸意匠面に貼付けを行う場合には、上記樹脂シートの追従性が悪化するため、細部に貼付けができないおそれがある。
【００２４】
また、上記意匠面には、その外周の輪郭に沿って上記裏面と平行な平面よりなる外周平面部を形成してあることが好ましい（請求項６）。この場合には、上記外周平面部を、第２の発明の取付け方法を採用した場合に、上記ジョイナーに設けた上記鍔部と上記内装下地材とにより挟持することで、上記外周平面部と上記ジョイナーの鍔部とが沿うように配設されるため、上記鍔部の浮き上がりが無く、意匠性を向上することができる。
【００２５】
次に、第２の発明に用いるジョイナーの材料には、アルミニウム合金、ガルバリウム鋼、ステンレス鋼、亜鉛めっき鋼板等、種々の金属材料を用いることができる。
【００２６】
また、上記ジョイナーは、底板部と、該底板部の両側端から立設した一対の側壁部と、該一対の側壁部の先端から互いに離れる方向に屈曲した一対の鍔部とを有する断面ハット形状の金属製のハット型ジョイナーを用い、上記一対の鍔部と上記内装下地材との間にそれぞれ上記被覆シート付き不燃性内装パネルの側端部を挟持して固定することもできる（請求項８）。この場合には、上下左右に隣接する２枚の上記被覆シート付き不燃性内装パネルの対向する端部を１つのハット型ジョイナーで固定することができる。したがって、上記被覆シート付き不燃性内装パネルの取付け作業性及び作業効率を向上することができる。
【００２７】
また、上記ハット型ジョイナーには、その上記底板部と上記一対の側端部により形成される溝部を覆うように蓋材を設けても良い。また、該蓋材に着色したり、デザインを施してもよい。この場合には、上記ハット型ジョイナーの意匠性を向上すると共に、デザインの自由度を向上することができる。
【００２８】
（実施例１）
本発明の実施例１にかかる被覆シート付き不燃性内装パネル１について、図１〜図５を用いて説明する。
本例の被覆シート付き不燃性内装パネル１は、図５に示すごとく、不燃性材料よりなる芯材パネル１０を樹脂シート２０により被覆してある。芯材パネル１０は、室内側に配される意匠面１１と、該意匠面１１の反対側の裏面１２と、意匠面１１と裏面１２とを繋ぐ側面１３とを有している。樹脂シート２０は、１枚のものを引き延ばして、少なくとも芯材パネル１０の意匠面１１の全面、側面１３の全面及び裏面１２の一部を覆うように貼付けてある。尚、図５において、樹脂シート２０の厚みは、構成を分かりやすくするために強調して示してあり、実際の寸法比率とは大きく異なるものである。
【００２９】
以下詳説する。
被覆シート付き不燃性内装パネル１は、図３〜図５に示すごとく、芯材パネル１０を樹脂シート２０により被覆してなる。芯材パネル１０は、図５に示すごとく、意匠面１１と、該意匠面１１の反対側に配される平面からなる裏面１２とを有している。また、意匠面１１と裏面１２とは、平面からなる側面１３により繋がっている。意匠面１１は、四角錐形状の凹凸形状を形成した凹凸意匠面１１１であり、その外周の輪郭に沿って裏面１２と平行な平面よりなる外周平面部１１２を形成してある。
【００３０】
芯材パネル１０は、ゾノトライト系ケイ酸カルシウムからなり、５００ｍｍ×５００ｍｍの正方形形状を有する平板状の元板を切削加工することにより、凹凸意匠面１１１及び外周平面部１１２を形成してなる。本例においては、図５に示すごとく、該凹凸意匠面１１１の凹凸形状の底部から、裏面１２の間の距離を板厚ｔ（ｍｍ）とし、ｔ＝１０ｍｍとした。また、凹凸意匠面１１１の外周の輪郭から、内側に１０ｍｍの範囲を外周平面部１１２とした。また、凹凸形状をなす四角錐形状は、その底面が６０ｍｍ×６０ｍｍの正方形からなり、凹凸形状の高さＨは９ｍｍである。凹凸形状は、その四角錐の底面をなす正方形の辺と、芯材パネル１０の外周をなす辺とが平行となるように形成してある。また、本例において、芯材パネル１０の凹凸意匠面１１１の平面視における平面領域の面積Ｓに対して、凹凸意匠面１１１の表面積は１．０４４Ｓである。
【００３１】
樹脂シート２０は、不燃認定を得た塩化ビニル樹脂からなり、貼付け前の状態において、５５０ｍｍ×５５０ｍｍの正方形形状を有している。また、貼付け前の状態において、樹脂シート２０の厚みは０．２ｍｍである。尚、上記の不燃認定とは、建築基準法（第２条９号）の規定により定められる。本例において、不燃認定を得た材料とは、上記規定に基づく性能評価である発熱性試験評価方法に従って認定されるものを指す。この場合には、樹脂シート２０が燃えにくいため、被覆シート付き不燃性内装パネルの不燃性を悪化させることがない。
【００３２】
本例においては、図示しない真空成型機を用いて芯材パネル１０への樹脂シート２０の貼付けを行った。上記真空成型機が有するチャンバーボックス内に配されたテーブル上に、芯材パネル１０を配置する。このとき、芯材パネル１０は、その外周端部を浮かせた状態で配置する。上記チャンバーボックス内において、上記芯材パネル１０の上方に樹脂シート２０を配すると共に、該樹脂シート２０によりチャンバーボックス内の空間を上下に２分割し、上下の空間をそれぞれ密封状態とする。樹脂シート２０をヒータにより加熱し、引き延ばしやすくした後、芯材パネル１０を配した下方の空間を真空とすることにより、樹脂シート２０が芯材パネル１０に密着し貼り付けられる。このとき、芯材パネル１０の角部及び凹凸形状においても、形状に沿うように樹脂シート２０が引き延ばされながら貼付けが行われるため、しわ等が生じない。また、芯材パネル１０の端部を浮かせた状態で配置することにより、図４及び図５に示すごとく、芯材パネル１０の裏面１２まで、樹脂シート２０を貼付けすることができる。尚、本例の被覆シート付き不燃性内装パネルにおいては、意匠面１１の全面、側面１３の全面及び、裏面１２の外周の輪郭から内側に約１０ｍｍの範囲を樹脂シート２０により覆った。
【００３３】
本例においては、図１及び図２に示すごとく、被覆シート付き不燃性内装パネル１の固定に用いるジョイナー３は、軽量なアルミニウム合金からなり、隣接する２枚の被覆シート付き不燃性内装パネル１の間に配される第１ジョイナー３１と、外側に配される被覆シート付き不燃性内装パネル１の端部を固定する第２ジョイナー３２の２種類を用いた。第１ジョイナー３１は、図２に示すごとく、第１底板部３１１と、該第１底板部３１１の両側端から立設した一対の第１側壁部３１３と、該一対の第１側壁部３１３の先端から互いに離れる方向に屈曲した一対の第１鍔部３１１とを有する断面ハット形状のハット型ジョイナーである。また、第２ジョイナー３２は、図２に示すごとく、第２底板部３２１と、第２底板部３２１の一端から立設した第２側壁部３２３と、該第２側壁部３２３の先端から、第２底板部３２１とは反対の方向に屈曲した第２鍔部３２２とを有している。尚、図２に示す被覆シート付き不燃性内装パネル１の断面においては、樹脂シート２０を省略してある。
【００３４】
次に、本例における被覆シート付き不燃性内装パネル１の取付け方法について説明する。
本例においては、図１に示すごとく、下段に位置する被覆シート付き不燃性内装パネル１から取付けを行い、順次上段の取付けを行う。まず、下段に配される被覆シート付き不燃性内装パネル１の下方に位置する第２ジョイナー３２を、その第２鍔部３２２が上方に位置し、かつ水平となるよう配設する。下段において隣接する被覆シート付き不燃性内装パネル１の間に配する第１ジョイナー３１を垂直に配設する。被覆シート付き不燃性内装パネル１は、第２ジョイナー３２の第２鍔部３２２と内装下地材８とによって、下方に位置する側端部１４を挟持され、第１ジョイナー３１の第１鍔部３１２と内装下地材８とによって、隣接する被覆シート付き不燃性内装パネル１と対向する側端部１４を挟持されている。
【００３５】
次に、図１に示す下段に配した被覆シート付き不燃性内装パネル１の上方に位置する第１ジョイナー３１を配設し、該第１ジョイナー３１の第１鍔部３１２と内装下地材８により、下段に配した被覆シート付き不燃性内装パネル１の上方に位置する側端部１４を挟持する。上段においても、下段と同様に、隣接する被覆シート付き不燃性内装パネル１の間に配する第１ジョイナー３１を垂直に配設する。上段に配される被覆シート付き不燃性内装パネル１は、第２ジョイナー３２の第２鍔部３２２と内装下地材８とによって、下方に位置する側端部１４を挟持され、第１ジョイナー３１の第１鍔部３１２と内装下地材８とによって、隣接する被覆シート付き不燃性内装パネル１と対向する側端部１４を挟持されている。次に、上段に配した被覆シート付き不燃性内装パネル１の上方に位置する第１ジョイナー３１を配設し、該第１ジョイナー３１の第１鍔部３１２と内装下地材８により、上段に配した被覆シート付き不燃性内装パネル１の上方に位置する側端部１４を挟持する。
【００３６】
尚、本例においては、上述の組付け手順をとったが、これに限るものではない。また、被覆シート付き不燃性内装パネル１の左右両端部には第２ジョイナー３２を設けていないが、左右両端部に第２ジョイナー３２を設けてもよいし、見切材を設けてもよい。また、第２ジョイナー３２においては、第２底板部３２１が露出するため、該第２底板部３２１を覆うように見切材を設けることで意匠性を向上することができる。
また、ジョイナー３の断面形状において、略Ｈ型等、略コの字形等、種々の形状からなるものを用いることができる。
【００３７】
本例における作用効果を説明する。
本例において、図３〜図５に示すごとく、樹脂シート２０は、１枚のものを引き延ばして、芯材パネル１０の意匠面１１の全面、側面１３の全面及び裏面１２の一部を覆うように貼付けてある。そのため、地震発生時に芯材パネル１０が破損したとしても、樹脂シート２０が補強材の役割を果たし、その形状を維持することができる。特に樹脂シート２０が、１枚のものを引き伸ばして、意匠面１１だけではなく、側面１３及び裏面１２の一部までを連続して覆っていることにより、非常に優れた形状維持効果を得ることができる。
また、樹脂シート２０の色や模様等を変化させることにより、被覆シート付き不燃性内装パネル１のデザインを自由に変化させることができる。それゆえ、被覆シート付き不燃性内装パネル１の意匠性を向上させることができる。
【００３８】
また、図１及び図２に示すごとく、第１ジョイナー３１の第１底板部３１１及び第２ジョイナー３２の第２底板部３２１を、内装下地材８に当接させると共に固定し、第１鍔部３１２及び第２鍔部３２２と内装下地材８との間にそれぞれ被覆シート付き不燃性内装パネル１の側端部を挟持して固定してある。すなわち、被覆シート付き不燃性内装パネル１と内装下地材８とは、直接的には結合されていない。そのため、地震などにより内装下地材８にたわみ等の変形が生じた場合においても、被覆シート付き不燃性内装パネル１は内装下地材８と相対的に移動可能に取付けられているため、変形の影響を受けにくい。したがって、被覆シート付き不燃性内装パネル１にかかる負荷を低減し、その破損を防止することができる。
【００３９】
また、本例の第１ジョイナー３１及び第２ジョイナー３２はアルミニウム合金製のため、樹脂製ジョイナー等に比べ高強度で、かつ不燃性及び耐熱性が高い。それゆえ、火災や地震などの災害時においても、その形状を維持し、被覆シート付き不燃性内装パネル１を固定することができる。
【００４０】
また、被覆シート付き不燃性内装パネル１が有する形状維持効果と、被覆シート付き不燃性内装パネル１の取付け構造における破損防止効果との相乗効果により、極めて優れた形状維持効果を発揮することができる。さらに、上記の優れた取付け構造を用いることにより、災害時においても、形状を維持した被覆シート付き不燃性内装パネル１を内装下地材８に固定し続けることができ、被覆シート付き不燃性内装パネル１の脱落を確実に防止することができる。
【００４１】
また、図３〜図５に示すごとく、樹脂シート２０が、芯材パネル１０の意匠面１１の全面、側面１３の全面及び裏面１２の一部を覆う範囲には、切り込みが設けられておらず、繋がった状態で配される。この場合には、芯材パネル１０を覆う樹脂シート２０に切れ目がないため、該樹脂シート２０による補強効果を向上することができる。したがって芯材パネル１０が破損した場合においても、より確実に形状を維持することができる。また、樹脂シート２０に切れ目がないため、該樹脂シート２０を貼り付けた被覆シート付き不燃性内装パネル１の意匠性をより向上することができる。
【００４２】
また、図５に示すごとく、被覆シート付き不燃性内装パネル１の板厚ｔ（ｍｍ）は、１０ｍｍであり、６ｍｍ≦ｔ≦５０ｍｍの範囲内にある。そのため、被覆シート付き不燃性内装パネル１に必要な強度を確実に確保することができる。
また、図３及び図５に示すごとく、芯材パネル１０の意匠面１１は、凹凸形状を呈した凹凸意匠面１１１である。そのため、意匠面１１におけるデザインの自由度を向上することができる。したがって、被覆シート付き不燃性内装パネル１の意匠性を向上させることができる。
【００４３】
また、芯材パネル１０の意匠面１１の平面視における平面領域の面積Ｓに対して、凹凸意匠面１１１の表面積は、１．０４４Ｓであり１．００Ｓ超〜１．６０Ｓの範囲内にある。そのため、樹脂シート２０を引き延ばしながら、芯材パネル１０に確実に貼り付けることができる。
【００４４】
また、芯材パネル１０がゾノトライト系ケイ酸カルシウムからなる。ゾノトライト系ケイ酸カルシウムは、熱収縮及び熱膨張が極めて小さく、高温に加熱された場合及びその後の冷却時においても破損を生じにくい。また、高温に加熱した後、急冷した場合においても崩壊することなく、形状を維持することができる。したがって、火災時においても、芯材パネル１０の破損を防止し、被覆シート付き不燃性内装パネル１による防火性能を確実に維持することができる。
【００４５】
また、本例における樹脂シート２０の厚みは貼付け前の状態で０．２ｍｍであり、０．２±０．０５ｍｍの範囲内にある。そのため、樹脂シート２０を引き延ばしながら、芯材パネル１０に確実に貼り付けることができ、かつ樹脂シート２０の目付量を低減することで、不燃性能を向上することができる。
【００４６】
また、図３及び図５に示すごとく、意匠面１１には、その外周の輪郭に沿って裏面１２と平行な平面よりなる外周平面部１１２を形成してある。そのため、外周平面部１１２を、第１ジョイナー３１に設けた第１鍔部３１２及び第２ジョイナー３２に設けた第２鍔部３２２と内装下地材８とにより挟持することで、外周平面部１１２と第１鍔部３１２及び第２鍔部３２２とが沿うように配設されるため、第１鍔部３１２及び第２鍔部３２２の浮き上がりが無く、意匠性を向上することができる。
【００４７】
また、第１ジョイナー３１は、第１底板部３１１と、該第１底板部３１１の両側端から立設した一対の第１側壁部３１３と、該一対の第１側壁部３１３の先端から互いに離れる方向に屈曲した一対の第１鍔部３１２とを有する断面ハット形状のハット型ジョイナーである。第１ジョイナー３１は、一対の第１鍔部３１２と内装下地材８との間にそれぞれ被覆シート付き不燃性内装パネル１の側端部を挟持して固定してある。そのため、上下左右に隣接する２枚の上記被覆シート付き不燃性内装パネル１の対向する端部を１つの第１ジョイナー３１で固定することができる。したがって、被覆シート付き不燃性内装パネル１の取付け作業性及び作業効率を向上することができる。
【００４８】
このように、本例によれば、意匠性に優れると共に、災害時においても、破損や脱落が起こりにくい被覆シート付き不燃性内装パネル及び該不燃性内装パネルに最適な取付け方法を提供することができる。
【符号の説明】
【００４９】
１  被覆シート付き不燃性内装パネル
１０  芯材パネル
１１  意匠面
１１１  凹凸意匠面
１１２  外周平面部
１２  裏面
１３  側面
１４  側端部
２０  樹脂シート
３  ジョイナー
３１  第１ジョイナー
３１１  第１底板部
３１２  第１鍔部
３１３  第１側壁部
３２  第２ジョイナー
３２１  第２底板部
３２２  第２鍔部
３２３  第２側壁部
８  内装下地材
【要約】
【課題】意匠性に優れると共に、火災や地震などの災害時においても、破損や脱落が起こりにくい被覆シート付き不燃性内装パネル及び該不燃性内装パネルに最適な取付け方法を提供する。
【解決手段】不燃性材料よりなる芯材パネル１０を樹脂シート２０により被覆した被覆シート付き不燃性内装パネル１。芯材パネル１０は、室内側に配される意匠面１１と、該意匠面１１の反対側の裏面１２と、意匠面１１と裏面１２とを繋ぐ側面１３とを有している。樹脂シート２０は、１枚のものを引き延ばして、芯材パネル１０の意匠面１１の全面、側面１３の全面及び裏面１２の一部を覆うように貼付けてある。
【選択図】図５【図１】
0004719312.tif 000002
【図２】
0004719312.tif 000003
【図３】
0004719312.tif 000004
【図４】
0004719312.tif 000005
【図５】
0004719312.tif 000006